(57)【要約】【課題】検出信号に含まれる不要な変動の影響を排除して、光記録媒体の種類を正しく判別する。【解決手段】検出信号ＳＰＩの信号レベルが検出閾値ＰＳを上回るとともに、検出信号ＳＰＩの信号レベルの変化率が変化率閾値を上回ったときを、対物レンズの焦点が記録層に合致したものとして光記録媒体の種別を判別することにより、検出信号に含まれる不要な変動の影響を排除して、確実に光記録媒体の種類を判別することができる。【選択図】図５
2008123569.tif 000002
【特許請求の範囲】
【請求項１】
情報記録用の記録層が設けられた光記録媒体に光ビームを集光すると共に、所定の駆動部により当該光ビームの光軸に沿って移動される対物レンズと、
上記光記録媒体により上記光ビームが反射されてなる反射光ビームを検出し検出信号を生成する検出部と、
上記駆動部を制御して上記対物レンズを上記光記録媒体の遠方から近接させる際、上記検出信号の信号レベルが所定の検出閾値を上回るとともに当該検出信号の信号レベルの変化率が所定の変化率閾値を上回ったときにおける上記対物レンズの焦点の位置に基づいて、上記光記録媒体の表面から上記記録層までの間隔が異なる複数種類の上記光記録媒体のうちいずれの上記光記録媒体であるかを判別する制御部と
を具えることを特徴とする光記録媒体駆動装置。
【請求項２】
上記制御部は、
上記光記録媒体の種類に応じて、上記検出信号の信号レベルが所定の表面検出閾値を上回ったときにおける上記対物レンズの焦点の位置を基準位置とするか、或いは、最初に上記検出信号の信号レベルが所定の検出閾値を上回るとともに当該検出信号の信号レベルの変化率が所定の変化率閾値を上回ったときにおける上記対物レンズの焦点の位置を上記基準位置とするかを選択し、
当該選択された基準位置から、次に上記検出信号の信号レベルが所定の検出閾値を上回るとともに当該検出信号の信号レベルの変化率が所定の変化率閾値を上回ったときにおける上記対物レンズの焦点の位置までの距離に応じて、上記光記録媒体を判別する
ことを特徴とする請求項１に記載の光記録媒体駆動装置。
【請求項３】
上記制御部は、
上記検出信号として、上記検出部により検出された上記反射光ビームの光量に応じて信号レベルが変化するプルイン信号を用いる
ことを特徴とする請求項１に記載の光記録媒体駆動装置。
【請求項４】
上記対物レンズは、
上記光ビームを２以上の焦点に集光する多焦点対物レンズである
ことを特徴とする請求項１に記載の光記録媒体駆動装置。
【請求項５】
情報記録用の記録層が設けられた光記録媒体に光ビームを集光する対物レンズを、当該光ビームの光軸に沿って当該光記録媒体の遠方から近接させる近接ステップと、
上記光記録媒体により上記光ビームが反射されてなる反射光ビームを検出し検出信号を生成する検出ステップと、
上記検出信号の信号レベルが所定の検出閾値を上回るとともに当該検出信号の信号レベルの変化率が所定の変化率閾値を上回ったときにおける上記対物レンズの焦点の位置に基づいて、上記光記録媒体の表面から上記記録層までの間隔が異なる複数種類の上記光記録媒体のうちいずれの上記光記録媒体であるかを判別する判別ステップと
を具えることを特徴とする光記録媒体駆動方法。
【発明の詳細な説明】
【技術分野】
【０００１】
本発明は光記録媒体駆動装置及び光記録媒体駆動方法に関し、例えば光ディスク駆動装置に適用して好適なものである。
【背景技術】
【０００２】
従来、光ディスク駆動装置においては、記録媒体としての光ディスクに対して光ビームを照射することにより、当該光ディスクに情報を記録し、また当該光ディスクから情報を再生するようになされたものが広く普及している。
【０００３】
また光ディスク駆動装置のなかには、波長約７８０［ｎｍ］の光ビームが用いられるＣＤ（Compact Disc）方式の光ディスク、及び波長約６６０［ｎｍ］の光ビームが用いられるＤＶＤ（Digital Versatile Disc）方式の光ディスクの双方に対応したものも提案されている。
【０００４】
さらに光ディスクは、ＣＤ方式及びＤＶＤ方式の双方において外径約１２０［ｍｍ］、厚さ約１．２［ｍｍ］の円盤状である点では共通するものの、当該光ディスクの表面から情報が記録された記録層までの間隔、いわゆるカバー層の厚さについては互いに異なっており、ＣＤ方式では約１．２［ｍｍ］、ＤＶＤ方式では約０．６［ｍｍ］となっている。
【０００５】
そのうえ、光ディスク駆動装置についても、光ビームを光ディスクに照射する対物レンズの開口数（NA：Numerical Aperture）が規定されており、ＣＤ方式の光ディスクに対しては開口数を０．４５とし、ＤＶＤ方式の光ディスクに対しては開口数を０．６とする必要がある。
【０００６】
そこで光ディスク駆動装置のなかには、２つの焦点を有する２焦点対物レンズを用いることにより、ＣＤ方式及びＤＶＤ方式の双方の光ディスクに対応するようになされ多ものも提案されている。
【０００７】
かかる光ディスク駆動装置では、光ディスクが装填された場合、例えば光ビームが当該光ディスクにより照射されてなる反射光ビームの検出結果を基に、光ディスクの表面から記録層までの間隔を認識し、この間隔からＣＤ方式又はＤＶＤ方式といった光ディスクの種類を判別する手法が用いられている。このとき光ディスク駆動装置は、光ビームの焦点のうち所望の焦点ではない偽の焦点により得られる反射光ビーム成分を除外し得るようになされている（例えば、特許文献１参照）。
【特許文献１】特開２００３−１５７５４５公報（第２図）
【発明の開示】
【発明が解決しようとする課題】
【０００８】
ところで近年では、光ディスクに対する大容量化等の要求に応じて、波長約４０５［ｎｍ］の光ビームを用いるＢｌｕ−ｒａｙ  Ｄｉｓｃ（登録商標、以下ＢＤと呼ぶ）方式も提案されている。このＢＤ方式では、対物レンズの開口数を０．８５とするよう規定されている。
【０００９】
そこで光ディスク駆動装置は、ＣＤ方式及びＤＶＤ方式に加えてＢＤ方式の光ディスクにも対応するべく、対物レンズを３焦点対物レンズとすることが考えられる。
【００１０】
しかしながら、このような対物レンズを用いる場合、光ディスク駆動装置では、光ビームについて常に複数の焦点を生じることになり、光学設計上の問題から、光ビームの偽の焦点が信号層に合焦したときにも十分な光量の反射光ビームを検出してしまう可能性がある。
【００１１】
このような場合、光ディスク駆動装置は、所望の焦点により得られた反射光ビームと偽の焦点により得られた反射光ビームとを区別することが困難となり、記録層を正しく認識することができないため、この結果光ディスクの種類を正しく判別できないという問題があった。
【００１２】
また、複数種類の光ディスクに対応した光ディスク駆動装置では、光ピックアップ内等で迷光が発生し、当該迷光の影響によっても記録層を正しく認識することができず、この結果光ディスクの種類を正しく判別することができないという問題があった。
【００１３】
本発明は以上の点を考慮してなされたもので、光記録媒体の種類を正しく判別し得る光記録媒体駆動装置及び光記録媒体駆動方法を提案しようとするものである。
【課題を解決するための手段】
【００１４】
かかる課題を解決するため本発明の光記録媒体駆動装置においては、情報記録用の記録層が設けられた光記録媒体に光ビームを集光すると共に、所定の駆動部により当該光ビームの光軸に沿って移動される対物レンズと、光記録媒体により光ビームが反射されてなる反射光ビームを検出し検出信号を生成する検出部と、駆動部を制御して対物レンズを光記録媒体の遠方から近接させる際、検出信号の信号レベルが所定の検出閾値を上回るとともに当該検出信号の信号レベルの変化率が所定の変化率閾値を上回ったときにおける対物レンズの焦点の位置に基づいて、光記録媒体の表面から記録層までの間隔が異なる複数種類の光記録媒体のうちいずれの光記録媒体であるかを判別する制御部とを設けるようにした。
【００１５】
検出信号の信号レベルが検出閾値を上回るとともに、検出信号の信号レベルの変化率が変化率閾値を上回ったときを、対物レンズの焦点が記録層に合致したものとして光記録媒体の種別を判別することにより、検出信号に含まれる不要な変動の影響を排除して、確実に光記録媒体の種類を判別することができる。
【００１６】
また本発明の光記録媒体駆動方法においては、情報記録用の記録層が設けられた光記録媒体に光ビームを集光する対物レンズを、当該光ビームの光軸に沿って当該光記録媒体の遠方から近接させる近接ステップと、光記録媒体により光ビームが反射されてなる反射光ビームを検出し検出信号を生成する検出ステップと、検出信号の信号レベルが所定の検出閾値を上回るとともに当該検出信号の信号レベルの変化率が所定の変化率閾値を上回ったときにおける対物レンズの焦点の位置に基づいて、光記録媒体の表面から記録層までの間隔が異なる複数種類の光記録媒体のうちいずれの光記録媒体であるかを判別する判別ステップとを設けるようにした。
【００１７】
検出信号の信号レベルが検出閾値を上回るとともに、検出信号の信号レベルの変化率が変化率閾値を上回ったときを、対物レンズの焦点が記録層に合致したものとして光記録媒体の種別を判別することにより、検出信号に含まれる不要な変動の影響を排除して、確実に光記録媒体の種類を判別することができる。
【発明の効果】
【００１８】
本発明によれば、検出信号の信号レベルが検出閾値を上回るとともに、検出信号の信号レベルの変化率が変化率閾値を上回ったときを、対物レンズの焦点が記録層に合致したものとして光記録媒体の種別を判別することにより、検出信号に含まれる不要な変動の影響を排除して、確実に光記録媒体の種類を判別し得る光記録媒体駆動装置及び光記録媒体駆動方法を実現できる。
【発明を実施するための最良の形態】
【００１９】
以下、図面について、本発明の一実施の形態を詳述する。
【００２０】
（１）第１の実施の形態
（１−１）光ディスク駆動装置の全体構成
図１は全体として第１の実施の形態の光ディスク駆動装置１を示し、図示しない外部機器からの指示に基づき、光記録媒体としての光ディスク２０に情報を記録し、また当該光ディスク２０に記録された情報を再生するようになされている。
【００２１】
また光ディスク駆動装置１は、ＣＤ（Compact Disc）方式、ＤＶＤ（Digital Versatile Disc）方式又はＢＤ（Blu-ray Disc、登録商標）方式といった３方式のいずれかでなる光ディスク２０に対応し得るようになされている。便宜上、以下ではそれぞれＣＤメディア２０ｃ、ＤＶＤメディア２０ｄ、及びＢＤメディア２０ｂと呼ぶ。
【００２２】
因みにＣＤメディア２０ｃ、ＤＶＤメディア２０ｄ、及びＢＤメディア２０ｂは、外径が約１２０［ｍｍ］、厚さが約１．２［ｍｍ］の円盤状である点については共通しているものの、情報の記録時及び再生時に使用される光ビームの波長、当該光ビームを集光する対物レンズの開口数、光ビームが照射される表面から情報を記録する記録層までの間隔（いわゆるカバー層の厚さ）が互いに異なっている。
【００２３】
具体的には、ＣＤ方式、ＤＶＤ方式及びＢＤ方式において、光ビームの波長がそれぞれ約７８０［ｎｍ］、約６６０［ｎｍ］及び約４０５［ｎｍ］、対物レンズの開口数が約０．４５、約０．６及び約０．８５、カバー層の厚さ（以下、これを層厚ＴＬと呼ぶ）が約１．２［ｍｍ］、約０．６［ｍｍ］及び約０．１［ｍｍ］とそれぞれ規定されている。
【００２４】
一方、光ディスク駆動装置１は、制御部２のシステム制御部３によって全体を統括制御するようになされている。このシステム制御部３は、図示しないＣＰＵ（Central Processing Unit）を中心に構成されており、図示しないＲＯＭ（Read Only Memory）から基本プログラムやディスク種類判別プログラム、フォーカス制御開始プログラム等の各種プログラムを読み出し、これを図示しないＲＡＭ（Random Access Memory）に展開することにより、ディスク種類判別処理やフォーカス制御開始処理等の各種処理を実行するようになされている。
【００２５】
光ディスク駆動装置１は、例えば光ディスク２０が装填された状態で、図示しない外部機器からの再生指示を受け付けると、当該光ディスク２０に記録されている情報を読み出すようになされている。
【００２６】
実際上、サーボ制御部４は、システム制御部３の指示に基づき、図示しないスピンドルモータを駆動制御することにより光ディスク２０を回転させると共に、光ピックアップ５から当該光ディスク２０に光ビームを照射させる。
【００２７】
この光ピックアップ５は、いわゆる３波長対応型となっており、波長約７８０［ｎｍ］でなるＣＤ用光ビームを出射するＣＤ用レーザダイオード６ｃ、波長約６６０［ｎｍ］でなるＤＶＤ用光ビームを出射するＤＶＤ用レーザダイオード６ｄ、及び波長約４０５［ｎｍ］でなるＢＤ用光ビームを出射するＢＤ用レーザダイオード６ｂ（以下、これらを総称してレーザダイオード６と呼ぶ）を有している。
【００２８】
光ピックアップ５は、光ディスク２０の種類（すなわちＣＤメディア２０ｃ、ＤＶＤ用メディア２０ｄ又はＢＤメディア２０ｂのいずれであるか）に応じたレーザダイオード６から光ビームを出射させるようになされている。例えば光ディスク２０がＢＤメディア２０ｂであれば、光ピックアップ５は、ＢＤ用レーザダイオード６ｂからＢＤ用光ビームを出射する。その後光ピックアップ５は、図示しない光学部品を介した後、対物レンズ７により当該光ビームを集光するようになされている。
【００２９】
対物レンズ７は、アクチュエータ８により、光ビームの光軸に沿って光ディスク２０へ近接される方向又は離隔される方向、すなわちフォーカス方向へ駆動されるようになされている。これは、回転される光ディスク２０がいわゆる面ブレ等を生じた際に、対物レンズ７を当該光ディスク２０に追従させる。
【００３０】
また対物レンズ７は、複数の光学部品の組み合わせにより構成され（図示せず）、同時に複数の焦点を形成するようになされている。このため対物レンズ７は、光ビームが入射された際、複数の開口数を持つことになる。
【００３１】
実際上、対物レンズ７は、ＣＤ用光ビームを開口数約０．４５で集光し、ＤＶＤ用光ビームを開口数約０．６で集光し、ＢＤ用光ビームを開口数約０．８５で集光することができる一方、同時に他の開口数でも光ビームを集光することになる。
【００３２】
光ピックアップ５は、光ビームが光ディスク２０により反射されてなる反射光ビームが対物レンズ７に入射されると、図示しない光学部品を介して、これをフォトディテクタ９に照射させる。
【００３３】
フォトディテクタ９は、反射光ビームが照射される面に複数の検出領域を有しており、検出領域ごとに光電変換を行うことにより複数の検出信号を生成し、これらを信号生成部１０へ供給する。
【００３４】
信号生成部１０は、検出信号を基に所定の演算処理を行うことにより、反射光ビームの光量を表すプルイン信号ＳＰＩ、光ビームの焦点と光ディスク２０の記録層とのずれ量を表すフォーカスエラー信号ＳＦＥ、光ディスク２０に記録されている情報を表す再生ＲＦ信号ＳＲＦ等を生成し、これらを制御部２へ供給する。
【００３５】
制御部２のサーボ制御部４は、フォーカスエラー信号ＳＦＥに基づき、当該フォーカスエラー信号ＳＦＥを値「０」に近づけるようなフォーカス駆動信号ＳＤＦをアクチュエータ８へ供給することにより、光ビームの焦点を光ディスク２０の記録層に近づけさせるように、対物レンズ７をフォーカス方向に移動させる。
【００３６】
すなわちサーボ制御部４は、アクチュエータ８を介して対物レンズ７をフォーカス方向にフィードバック制御することにより、光ビームの焦点を光ディスク２０の記録層に追従させるようになされている。
【００３７】
さらに制御部２は、図示しない信号処理部によって再生ＲＦ信号ＳＲＦに対し所定の復調処理や復号化処理等を施すことにより、光ディスク２０に記録されている情報を再生し、これを外部機器（図示せず）へ送出するようになされている。
【００３８】
また光ディスク駆動装置１は、例えば光ディスク２０が装填された状態で、図示しない外部機器からの記録指示及び記録すべきデータ等を受け付けると、当該光ディスク２０に情報を記録するようになされている。
【００３９】
この場合にもサーボ制御部４は、光ディスク２０から情報を再生する場合と同様に、アクチュエータ８を介して対物レンズ７をフィードバック制御することにより、光ビームの焦点を光ディスク２０の記録層に追従させるようになされている。
【００４０】
このように光ディスク駆動装置１は、光ディスク２０に光ビームを照射し、反射光ビームの検出結果を基に対物レンズ７をフォーカス方向にフィードバック制御する、いわゆるフォーカス制御を行うことにより、光ビームの焦点を光ディスク２０の記録層に追従させるようになされている。
【００４１】
（１−２）光ディスクのディスク種類判別
ところで光ディスク２０は、上述したように、記録時及び再生時に照射すべき光ビームの波長及びカバー層の厚さが、種類ごとに異なっている。
【００４２】
すなわち光ディスク駆動装置１は、光ディスク２０の種類ごとに、光ビームの波長、すなわちＣＤ用レーザダイオード６ｃ、ＤＶＤ用レーザダイオード６ｄ又はＢＤ用レーザダイオード６ｂのいずれから光ビームを出射させるかと、フォーカス方向に関して光ビームの焦点を合わせる位置、すなわちフォーカス方向に関する対物レンズ７の位置とを切り換える必要がある。
【００４３】
このため光ディスク駆動装置１は、新たに光ディスク２０が装填されると、まず当該光ディスク２０に対して光ビームを照射してその種類を判別するようになされている。
【００４４】
従来、この種のディスク種類判別処理においては、対物レンズを光ディスクから遠ざけた状態から、当該光ディスクに一定速度Ｖで近づけさせながら、プルイン信号ＳＰＩの信号レベルと所定の検出閾値ＰＳとを比較する。そして、プルイン信号ＰＩの信号レベルが最初に検出閾値ＰＳを越えたとき、光ビームが光ディスクの表面に合焦しているものと判定するとともに、次にプルイン信号ＳＰＩの信号レベルが検出閾値ＰＳを越えたとき、光ビームが光ディスクの信号層に合焦しているものと判定する。そして、この間の経過時間に対物レンズの移動速度を乗じることにより、光ディスクの表面から信号層までの厚さすなわちカバー層厚を算出し、当該算出したカバー層厚に基づいて光ディスクの種別を判定する。
【００４５】
しかしながら、本発明の光ディスク駆動装置１のように対物レンズ７が複数の焦点を有している場合、図２（Ａ）に示すようにプルイン信号ＳＰＩの信号レベルには、ディスク表面の反射に基づく信号レベル変化及び信号層の反射に基づく信号レベル変化の間に、迷光等に基づいて生じる比較的なだらかな変化を示す信号レベル変化（以下、これをフェイク（偽）現象と呼ぶ）や、ノイズに基づく急峻な変化を示す信号レベル変化が不特定個発生することを避け得ない。
【００４６】
そして、このようなプルイン信号ＳＰＩと検出閾値ＰＳとの比較に基づく合焦判定（以下、閾値判定とも呼ぶ）では、検出閾値ＰＳの設定によっては、図２（Ｂ）に示す閾値に基づく検出信号Ｓｓｌのように、これらフェイク現象やノイズをも合焦状態と判定してしまい（すなわち信号レベルがハイレベルの状態）、これにより正常なディスク種類判別を行うことができなくなるという問題がある。
【００４７】
これに対して、ノイズの信号レベル変化が急峻であることに着目し、プルイン信号ＳＰＩの変化率等に基づいてディスク種類判別を行う方法も提案されている。
【００４８】
例えば、プルイン信号ＳＰＩの面積変化率を用いる方法では、次に示す（１）式を用いて、プルイン信号ＳＰＩの信号振幅ｌiを所定時間ｔだけ加算した信号面積Ｓｎの差分でなる面積変化率ΔＳｎを算出する。
【００４９】
【数１】
2008123569.tif 000003
【００５０】
そして、当該面積変化率ΔＳｎと、適宜設定した面積変化率検出閾値Ｓｄとを比較し、面積変化率ΔＳｎが面積変化率検出閾値Ｓｄ以上のとき、このプルイン信号ＳＰＩの信号レベル変化はディスク表面や記録層の反射に基づくものであると判定する。
【００５１】
すなわち図３（Ａ）は、ディスク表面や記録層の反射に起因するプルイン信号ＳＰＩの信号レベル変化の例を示し、この場合期間約８ｔに渡る緩やかな変化を示している。そして、図３（Ｂ）はこのような信号レベル変化に対する面積変化率ΔＳｎを示し、この場合面積変化率ΔＳ２〜ΔＳ８の長い期間に渡って比較的大きな値の増加がみられる。
【００５２】
これに対し図４（Ａ）は、ノイズに起因するプルイン信号ＳＰＩの信号レベル変化の例を示し、期間ｔのみで終結する急峻な変化を示しており、信号レベル変化のピーク前後における各期間の信号面積Ｓ１〜Ｓ３、Ｓ４〜Ｓ８は極めて小さな値となっているとともに、当該ピークを含む期間の信号面積Ｓ４も小さな値となっている。そして、図４（Ｂ）はこのような急峻な信号レベル変化に対する面積変化率ΔＳｎを示し、面積変化率ΔＳ４及びΔＳ５においてわずかな増加が見られるのみである。
【００５３】
したがって、上述した面積変化率検出閾値Ｓｄを適切に設定することにより、ディスク表面や記録層の反射に基づくプルイン信号ＳＰＩの信号レベル変化と、ノイズに基づく信号レベル変化とを確実に識別することができる。
【００５４】
しかしながら、このようなプルイン信号ＳＰＩの変化率等に基づくディスク種類判別では、図２（Ｃ）に示す面積変化率に基づく検出信号Ｓａのように、緩やかな変化を示すフェイク現象についても合焦状態と判定してしまう（すなわち検出信号Ｓａの信号レベルがハイレベルの状態）。
【００５５】
このため発明の光ディスク駆動装置１では、上述した検出閾値ＰＳに基づく閾値判定と、プルイン信号ＳＰＩの信号変化率に基づく信号変化率判定とを併用するようにした。
【００５６】
この場合、ノイズのようにピークレベルは高いものの急峻な変化を示す信号変化については、信号変化率判定によって合焦ではないと識別できるため、その分、閾値判定における検出閾値ＰＳを高く設定することができ、これにより緩やかな信号変化を示すものの比較的ピークレベルが低いフェイク現象を合焦ではないと識別できるようになる。
【００５７】
すなわち図５はこのような閾値判定と信号変化率判定（この場合は面積変化率判定）とを併用した複合判定の様子を示し、図５（Ａ）に示すプルイン信号ＳＰＩに対して、閾値判定における検出閾値ＰＳを図２（Ａ）よりも高めに設定している。
【００５８】
これにより、閾値判定による検出信号Ｓｓｌは、図５（Ｂ）に示すように信号層及びノイズのみが検出され（信号レベルがハイレベル）、ピークレベルの低いフェイク現象についてはいずれも検出されることがない。一方、面積変化率判定による検出信号Ｓａは、図５（Ｃ）に示すようにディスク表面、フェイク現象及び信号層が検出されている。
【００５９】
このため、閾値判定による検出信号Ｓｓｌ及び面積変化率判定による検出信号Ｓａそれぞれについて、その信号レベルがローの時を「０」、信号レベルがハイの時を「１」としし、検出信号Ｓｓｌ及び検出信号Ｓａを論理積演算を行って記録層検出信号ＳＤを生成するようにすれば、閾値判定では検出されてしまうものの面積変化率判定では検出されないノイズや、面積変化率判定では検出されてしまうものの閾値判定では検出されないフェイク現象を排除して、検出すべき記録層のみを確実に検出することができる。
【００６０】
しかしながらこの場合、検出閾値ＰＳが高く設定されたことから、比較的ピークレベルの低いディスク表面に基づく信号レベル変化は閾値判定によっては検出されず、このため記録層検出信号ＳＤでは当該ディスク表面を検出することができない可能性がある。従って、面積変化率判定による検出信号Ｓａにおける最初の検出結果をディスク表面に合焦した状態と判定し、当該ディスク表面に対する合焦状態を検出した以降、上述した記録層検出信号ＳＤに基づいて記録層を検出するようにすればよい。
【００６１】
すなわち光ディスク駆動装置１のシステム制御部３は、光ディスク２０が装填されたことを検出すると、光ディスク２０に対して光ビームを照射しつつ、対物レンズ７を当該光ディスク２０から遠ざけた状態から一定速度Ｖで近づけさせていく。
【００６２】
このときシステム制御部３は、プルイン信号ＳＰＩと検出閾値ＰＳとを比較して閾値判定による検出信号Ｓｓｌを生成するとともに、当該プルイン信号ＳＰＩに対し上述した（１）式を用いた演算を行って面積変化率判定による検出信号Ｓｓｌを生成し、当該検出信号Ｓｓｌ及び検出信号ＳｓｌをＡＮＤ演算して記録層検出信号ＳＤを生成する。
【００６３】
そしてシステム制御部３は、面積変化率判定による検出信号Ｓｓｌの信号レベルが最初にハイレベルに立ち上がった時点を、光ビームが光ディスク２０の表面に合焦しているものと認識し、図示しないカウンタによる時間の計測を開始する。
【００６４】
その後システム制御部３は、記録層検出信号ＳＤの信号レベルがハイレベルに立ち上がった時点を、光ビームが光ディスク２０の記録層に合焦しているものと認識してカウンタによる時間の計測を終了し、このときの経過時間ＴＰに対物レンズ７の移動速度Ｖを乗じることにより、カウンタによる計測中の移動距離ｄ１、すなわち位置ｘｃから位置ｘｓまでの距離を算出する。
【００６５】
そしてシステム制御部３は、算出した移動距離ｄ１と各種光ディスクのカバー層厚とを照合することにより装填された光ディスク２０の種類を判定し、当該判定結果に応じて、当該光ディスク２０に対する各種処理を開始する。
【００６６】
（１−３）動作及び効果
以上の構成において、この光ディスク駆動装置１では、光ディスク２０が装填された際のディスク種類判別処理において、光ディスク２０に対して光ビームを照射しつつ、対物レンズ７を遠方から当該光ディスク２０に一定速度Ｖで接近させ、プルイン信号ＳＰＩに対する閾値判定によって検出信号Ｓｓｌを生成するとともに、当該プルイン信号ＳＰＩに対する面積変化率判定によって検出信号Ｓｓｌを生成し、さらに当該検出信号Ｓｓｌ及び検出信号Ｓｓｌを論理積演算して記録層検出信号ＳＤを生成する。
【００６７】
そして光ディスク駆動装置１は、面積変化率判定による検出信号Ｓｓｌの最初の立ち上がりをディスク表面に対する合焦タイミングと認識するとともに、記録層検出信号ＳＤの立ち上がりを記録層に対する合焦タイミングと認識し、この間の経過時間ＴＰに対物レンズ７の移動速度Ｖを乗じた移動距離ｄ１と各種光ディスクのカバー層厚とを照合することにより、装填された光ディスク２０の種類を判定する。
【００６８】
このように、光ディスク装填時におけるディスク種類判別処理において、閾値判定と面積変化率判定とを併用して記録層を検出することにより、閾値判定では記録層であると誤判定されるノイズに基づく信号変化や、面積変化率判定では記録層であると誤判定されるフェイク現象に基づく信号変化等の不要な信号変化を適切に排除し、記録層のみを確実に識別することができる。
【００６９】
（１−４）他の実施の形態
なお、上述した第１の実施の形態においては、ディスク種類判別処理における閾値判定の判定方法として、プルイン信号ＳＰＩの信号レベルと検出閾値ＰＳとを比較するようにしたが、本発明はこれに限らず、上述したプルイン信号ＳＰＩの信号振幅ｌiを所定時間ｔだけ加算してなる信号面積Ｓｎと、適宜設定した信号面積閾値とを比較して閾値判定を行うようにしてもよい。この場合、信号面積Ｓｎは単位時間当たりのプルイン信号ＳＰＩの信号振幅ｌiの積分値に当たることから、極端に急峻な信号変化を無視して、より安定した閾値判定を行うことができる。
【００７０】
また上述した第１の実施の形態においては、ディスク種類判別処理において面積変化率判定と閾値判定とを併用して記録層の検出を行うようにしたが、本発明はこれに限らず、面積変化率判定に代えて、例えばプルイン信号ＳＰＩの信号レベルの微分値等、プルイン信号ＳＰＩの信号変化状態に基づくこの他種々の信号変化率判定と閾値判定とを併用して記録層の検出を行うようにしてもよい。
【００７１】
さらに上述した第１の実施の形態においては、ディスク種類判別処理において常に一定の検出閾値ＰＳを用いて閾値判定を行うようにしたが、本発明はこれに限らず、状況に応じて適宜検出閾値ＰＳを変更しながら閾値判定を行うようにしてもよい。例えば、ディスク種類判別処理開始直後では検出閾値ＰＳを低く設定すれば、閾値判定によってもディスク表面を検出でき、当該ディスク表面を検出した以降は検出閾値ＰＳを高く設定すれば、閾値判定によるフェイク現象の誤認識を防止できる。
【００７２】
（２）第２の実施の形態
次に、本発明の第２の実施の形態を説明するが、光ディスク駆動装置１の構成については、上述した第１の実施の形態と同様なので説明を省略する。
【００７３】
（２−１）第２の実施の形態の基本動作
上述したように、光ディスク駆動装置１の対物レンズ７は、複数種類の光ディスクに対応した複数の開口数を有しているため、装填された光ディスクに対応した焦点以外にも光ビームが焦点を結んでしまう。この偽の焦点による反射光は、光ディスクに対応した焦点（以下、これを正の焦点とも呼ぶ）がディスク表面や記録層に合焦していない状態において光量が増大し、プルイン信号ＳＰＩにフェイク現象として現れることがある。
【００７４】
このような偽の焦点によるフェイク現象は、迷光等によるフェイク現象に比べてそのピークレベルが大きく、このため第１の実施の形態で述べた面積変化率判定及び閾値判定の双方において検出されてしまい、記録層検出信号ＳＤにおいて記録層に対する合焦タイミングとして誤認識されてしまうという問題がある。
【００７５】
ところでこのような偽の焦点は、対物レンズ７に複数の開口数を持たせた際、特定の種類の光ディスクに対応する光ビームの特性に最適化することによって、他の種類の光ディスクに対応する光ビームの特性に「しわ寄せ」が生じた結果によるものと推定される。
【００７６】
そして、偽の焦点及び正の焦点の相対距離は、対物レンズ７のそれぞれの開口数によって定まることから、偽の焦点によるフェイク現象が発生すると推定される光ディスク２０に対しては、ディスク表面の検出タイミングではなく、偽の焦点によるフェイク現象の検出タイミングから記録層の検出タイミングまでの経過時間に基づいて、光ディスク２０の種類を判定することで、偽の焦点によるフェイク現象が発生する光ディスクに対しても正しくディスク種類判定を行うことができる。
【００７７】
（２−２）ディスク種類判別処理
次に、光ディスク駆動装置１における、上述した偽の焦点によるフェイク現象の判定を併用したディスク種類判別処理について具体的に説明する。
【００７８】
上述したように光ディスク駆動装置１は、ＣＤメディア２０ｃ、ＤＶＤメディア２０ｄ、及びＢＤメディア２０ｂのいずれかでなる光ディスク２０に対応し得るようになされており、これらは照射すべき光ビームの波長及びカバー層厚が互いに異なるため、光ディスク駆動装置１は光ディスク２０が新たに装填される都度、当該光ディスク２０に対する種類判別を行う。
【００７９】
具体的に光ディスク駆動装置１は、まず光ディスク２０に対してＢＤの用光ビームを照射して、当該光ディスク２０がＢＤメディア２０ｂであるか否かを判定する。
【００８０】
ここで光ディスク駆動装置１は、当該光ディスク２０がＢＤメディア２０ｂでなかった場合、今度は当該光ディスク２０に対してＤＶＤの用光ビームを照射して、当該光ディスク２０がＤＶＤ用メディア２０ｄであるか否かを判定する。
【００８１】
さらに光ディスク駆動装置１は、当該光ディスク２０がＤＶＤ用メディア２０ｄでもなかった場合、当該光ディスク２０がＣＤメディア２０ｃである可能性が高いものの、確認のために、当該光ディスク２０に対してＣＤの用光ビームを照射し、当該光ディスク２０がＣＤ用メディア２０ｄであるか否かを判定する。
【００８２】
このように光ディスク駆動装置１は、光ディスク２０がＢＤメディア２０ｂであるか否か、ＤＶＤ用メディア２０ｄであるか否か、ＣＤ用メディア２０ｄであるか否かを順次判定することにより、当該光ディスク２０の種類を判別するディスク種類判別処理を行うようになされている。
【００８３】
（２−３）ＢＤ判別処理及びＤＶＤ判別処理
次に、光ディスク駆動装置１が、光ディスク２０がＢＤ用メディアであるか否かを判別するＢＤ判別処理、及び当該光ディスク２０がＤＶＤ用メディアであるか否かを判別するＤＶＤ判別処理を行う場合について、ＢＤ判別処理を例に説明する。
【００８４】
光ディスク駆動装置１のシステム制御部３は、ＢＤ用レーザダイオード６ｂからＢＤ用光ビームを発射させることにより、対物レンズ７からＢＤ用光ビームを開口数が約０．８５となるよう集光させる。
【００８５】
またシステム制御部３は、サーボ制御部４を介してアクチュエータ８を駆動制御することにより、対物レンズ７を光ディスク２０から遠ざけた状態から、当該光ディスク２０に一定速度Ｖで近づけさせていく。さらにシステム制御部３は、フォーカスエラー信号ＳＦＥ及びプルイン信号ＳＰＩの変化を監視する（以下、一連の動作をＢＤ用光ビームによるサーチ動作と呼ぶ）。
【００８６】
このときシステム制御部３は、図６（Ａ）に示すようなプルイン信号ＳＰＩと検出閾値ＰＳとを比較して、閾値判定による検出信号Ｓｓｌ（図６（Ｂ））を生成するとともに、当該プルイン信号ＳＰＩに対し上述した（１）式を用いた演算を行って、面積変化率判定による検出信号Ｓｓｌ（図６（Ｃ））を生成し、さらに当該検出信号Ｓｓｌ及び検出信号ＳｓｌをＡＮＤ演算して記録層検出信号ＳＤ（図６（Ｄ））を生成する。
【００８７】
これと平行してシステム制御部３は、面積変化率判定による検出信号Ｓｓｌの信号レベルが最初にハイレベルに立ち上がった時点を、ＢＤ用光ビームが光ディスク２０の表面に合焦したものと認識し、光ビームの焦点の移動距離すなわち対物レンズ７の移動距離を計測するための距離計測信号ＳＭをローレベルからハイレベルに立ち上げ、図示しないカウンタによる時間の計測を開始する。
【００８８】
その後システム制御部３は、記録層検出信号ＳＤがハイレベルに立ち上がった時点でカウンタによる時間の計測を終了し、このときの経過時間ＴＰに対物レンズ７の移動速度Ｖを乗じることにより、カウンタによる計測中の移動距離ｄ１、すなわち位置ｘｃから位置ｘｓまでの距離を算出する。
【００８９】
次にシステム制御部３は、移動距離ｄ１をＢＤメディア２０ｂの層厚ＴＬ＝０．１［ｍｍ］と比較する。具体的にシステム制御部３は、光ディスク２０の個体差や測定誤差等を考慮し、例えば移動距離ｄ１が０．１±０．０２［ｍｍ］の範囲（以下、これを許容範囲と呼ぶ）内であれば、光ディスク２０がＢＤメディア２０ｂであるものと判別する。
【００９０】
一方、ここで移動距離ｄ１がＢＤメディア２０ｂの許容範囲外であった場合、システム制御部３は、光ディスク２０がＢＤメディア２０ｂでは無く、ＤＶＤ用メディア２０ｄ又はＣＤメディア２０ｃのいずれかであるものと判別する。
【００９１】
このようにシステム制御部３は、ＢＤ判別処理において、ＢＤ用レーザ光によるサーチ動作を行い、フォーカスエラー信号ＳＦＥ及びプルイン信号ＰＩにおける小信号変化及び大信号変化を基に、光ディスク２０の表面から記録層までの間隔を移動距離ｄ１として計測し、当該移動距離ｄ１をＢＤメディア２０ｂの層厚ＴＬと比較することにより、当該光ディスク２０がＢＤメディア２０ｂであるか否かを判別する。
【００９２】
ここでシステム制御部３は、このＢＤ判別処理において検出信号Ｓｓｌ及び検出信号Ｓｓｌを論理積演算して生成する記録層検出信号ＳＤに基づいて光ディスク２０の表面から記録層までの移動距離ｄ１を計測することにより、ノイズやフェイク現象による信号変化に惑わされることなく、当該光ディスク２０がＢＤメディア２０ｂであるか否かを判別することができる。
【００９３】
因みにシステム制御部３は、ＤＶＤ判別処理においても、ＢＤ判別処理と同様の手法により、光ディスク２０がＤＶＤメディア２０ｄであるか否かを判別するようにもなされている。
【００９４】
（２−４）ＣＤ判別処理
次に、光ディスク駆動装置１が、光ディスク２０がＣＤメディア２０ｃであるか否かを判別するＣＤ判別処理について説明する。
【００９５】
光ディスク駆動装置１のシステム制御部３は、ＣＤ用レーザダイオード６ｃからＣＤ用光ビームを発射させることにより、対物レンズ７からＣＤ用光ビームを開口数が約０．４５となるよう集光させる。
【００９６】
ここで、光ディスク駆動装置１において、ＣＤメディア２０ｃに対してＣＤ用光ビームによるサーチ動作を行う場合の、プルイン信号ＰＩの変化とＣＤ用光ビームの焦点の位置との関係を検証した。因みに、ここでいう焦点とは、対物レンズ７が形成する複数の焦点のうち、開口数を約０．４５としたときの焦点を意味する。
【００９７】
この場合、サーチ動作を継続して対物レンズ７を光ディスク２０へ近づけていくと、プルイン信号ＰＩには、図６（Ａ）と対応する図７（Ａ）に示すように、まずＣＤ用光ビームが光ディスク２０の表面に合焦したとき、ＢＤ判別処理の場合と同様にプルイン信号ＰＩが一時的に増加する小信号変化が生じる。
【００９８】
その後、サーチ動作を継続して対物レンズ７を光ディスク２０へ近づけていくと、ＢＤ判別処理の場合と同様に、プルイン信号ＰＩが一時的に増加する大信号変化が生じる。
【００９９】
しかしながらこの時点では、光ピックアップ７は、ＣＤ用光ビームの焦点が光ディスク２０の表面に合焦してから、表面と記録層の中間点付近までしか移動されていなかった。すなわちＣＤ用光ビームは、光ディスク２０の記録層から手前の位置に合焦しており、記録層には合焦していなかった。
【０１００】
これは、上述したように対物レンズ７が複数の焦点を有しており、その焦点のうち、開口数が約０．４５となる焦点とは異なる偽の焦点が光ディスク２０の表面又は記録層等に合焦しているために、プルイン信号ＰＩが一時的に大きく増加するフェイク現象であると推測される。
【０１０１】
因みに、光ディスク駆動装置１では、ＢＤ判別処理及びＤＶＤ判別処理の場合には、このような偽の焦点によるフェイク現象を検出することはない。これは上述したように、対物レンズ７の光学設計において、記録密度等の観点からＢＤ用光ビームに対する特性を最優先とし、次にＤＶＤ用光ビームに対する特性を優先し、ＣＤ用光ビームに対する特性を優先させなかったことにより、ＣＤ用光ビームの特性に「しわ寄せ」が生じたものと推定される。
【０１０２】
このような偽の焦点によるフェイク現象のピークレベルは、記録層に対して合焦した際のピークレベルに匹敵するほど高いことがある。この場合、当該偽の焦点によるフェイク現象は閾値判定及び面積変化率判定の双方によって検出されてしまい、この結果記録層検出信号ＳＤ（図７（Ｃ）がハイレベルとなる。
【０１０３】
そして、さらにサーチ動作を継続して対物レンズ７を光ディスク２０へ近づけていくと、プルイン信号ＰＩに大信号変化が再度生じる。このとき光ピックアップ７は、ＣＤ用光ビームの焦点が光ディスク２０の表面に合焦してから約１．２［ｍｍ］移動されていた。すなわちＣＤ用光ビームは、このとき光ディスク２０の記録層に合焦していると考えられる。
【０１０４】
このように光ディスク駆動装置１では、ＣＤ判別処理の際、プルイン信号ＰＩにおけるディスク表面による最初の小信号変化と、信号層による大信号変化との間に、ピークレベルが高く緩やかな大信号変化を示す偽の焦点によるフェイク現象が発生する。そして、仮にＢＤ判別処理と同様に小信号変化から大信号変化までにおける対物レンズ７の移動距離ｄ２をカバー層の厚さと見なしてしまうと、図７に示したように、光ディスク２０の表面である位置ｘｃからフェイク現象の検出位置である位置ｘｆまでの距離をカバー層の厚さとして誤認識することになってしまう。
【０１０５】
このときシステム制御部３は、ＣＤメディア２０ｃの表面から記録層の中間点付近までの距離をカバー層の厚さと誤認識してしまうことから、光ディスク２０がＣＤメディア２０ｃではなく、ＤＶＤメディア２０ｄであると判別してしまう可能性がある。
【０１０６】
このように光ディスク駆動装置１では、システム制御部３がＣＤメディア２０ｃに対してＣＤ用光ビームを用いてサーチ動作を行う際、大信号変化を２回検出することになり、
１回目ではなく２回目の大信号変化の検出時に、ＣＤ用光ビームが光ディスク２０の記録層に合焦すること、及び１回目の大信号変化の検出時には、ＣＤ用光ビームの焦点が光ディスク２０の記録層から約０．６［ｍｍ］手前に位置することが判明した。
【０１０７】
そこで光ディスク駆動装置１のシステム制御部３はＣＤ判別処理の際、１回目の大信号変化の検出時を対物レンズ７の移動距離ｄの測定開始点とし、２回目の大信号変化の検出時にＣＤ用光ビームが光ディスク２０の記録層に合焦しているものと認識するようにした。
【０１０８】
すなわちシステム制御部３は、図６と対応する図８に示すように、図８（Ａ）に示すプルイン信号ＳＰＩと検出閾値ＰＳとを比較して、閾値判定による検出信号Ｓｓｌ（図８（Ｂ））を生成するとともに、当該プルイン信号ＳＰＩに対し上述した（１）式を用いた演算を行って、面積変化率判定による検出信号Ｓｓｌ（図８（Ｃ））を生成し、さらに当該検出信号Ｓｓｌ及び検出信号ＳｓｌをＡＮＤ演算して記録層検出信号ＳＤ（図８（Ｄ））を生成する。
【０１０９】
このときシステム制御部３は、上述したＢＤ判別処理とは異なり、検出信号Ｓｓｌの最初の立ち上がりをディスク表面に対する合焦と認識するものの、距離計測信号ＳＭを立ち上げずローレベルのままとする。
【０１１０】
その後システム制御部３は、１回目の大信号変化、すなわち偽の焦点によるフェイク現象に応じた記録層検出信号ＳＤの最初の立ち上がりを検出した時に、距離計測信号ＳＭをローレベルからハイレベルに立ち上げ、カウンタ（図示せず）による時間の計測を開始する。
【０１１１】
さらにシステム制御部３は、記録層検出信号ＳＤの２回目最初の立ち上がりを検出した時に、ＣＤ用光ビームが光ディスク２０の記録層に合焦したと認識し、当該記録層を検出したことを表す記録層検出信号ＳＤを一時的にローレベルからハイレベルに立ち上げる。
【０１１２】
このときシステム制御部３は、記録層検出信号がハイレベルに立ち上がった時点でカウンタによる時間の計測を終了し、このときの経過時間ＴＰに対物レンズ７の移動速度Ｖを乗じることにより、カウンタによる計測中の移動距離ｄ３、すなわち位置ｘｆから位置ｘｓまでの距離を算出する。
【０１１３】
次にシステム制御部３は、移動距離ｄ３を、偽の焦点によるフェイク現象の検出位置ｘｆから記録層の位置ｘｓまでの距離、すなわちディスク表面から記録層までの距離のおよそ半分と比較する。具体的にシステム制御部３は、光ディスク２０の個体差や測定誤差等を考慮し、例えば移動距離ｄ３が０．６±０．１２［ｍｍ］の範囲（すなわち許容範囲）内であれば、光ディスク２０がＣＤメディア２０ｃであるものと判別する。
【０１１４】
一方、ここで移動距離ｄ３がＣＤメディア２０ｃの許容範囲外であった場合、システム制御部３は、光ディスク２０がＣＤメディア２０ｃでは無く、ＢＤメディア２０ｂ又はＤＶＤ用メディア２０ｄであり、且つ前段のＢＤ判別処理及びＤＶＤ判別処理において正常にディスク種類を判別できなかったものと判断し、所定のエラー処理を行うようになされている。
【０１１５】
このようにシステム制御部３は、ＣＤ判別処理において、ＣＤ用光ビームの焦点が信号層と異なる位置ｘｆにあるときに、１回目の大信号変化（偽の焦点によるフェイク現象）を検出すると共に、ＣＤ用光ビームの焦点が信号層の位置ｘｓにある時に２回目の大信号変化を検出することを利用し、記録層検出信号ＳＤの最初の立ち上がりから２回目の立ち上がりまでにおける対物レンズ７の移動距離ｄ３を基に、光ディスク２０がＣＤメディア２０ｃであるか否かを判定する。
【０１１６】
（２−５）動作及び効果
以上の構成において、この光ディスク駆動装置１では、光ディスク装填時におけるＢＤ判別処理及びＤＶＤ判別処理の際、光ディスク２０に対して光ビームを照射しつつ、対物レンズ７を遠方から当該光ディスク２０に一定速度Ｖで接近させ、プルイン信号ＳＰＩに対する閾値判定によって検出信号Ｓｓｌを生成するとともに、当該プルイン信号ＳＰＩに対する面積変化率判定によって検出信号Ｓｓｌを生成し、さらに当該検出信号Ｓｓｌ及び検出信号Ｓｓｌを論理積演算して記録層検出信号ＳＤを生成する。
【０１１７】
そして光ディスク駆動装置１は、面積変化率判定による検出信号Ｓｓｌの最初の立ち上がりをディスク表面に対する合焦タイミングと認識するとともに、記録層検出信号ＳＤの立ち上がりを記録層に対する合焦タイミングと認識し、この間の経過時間ＴＰに対物レンズ７の移動速度Ｖを乗じた移動距離ｄ１と、ＢＤ又はＤＶＤのカバー層厚とを照合することにより、装填された光ディスク２０がＢＤであるか否か、又はＤＶＤであるか否かを判定する。
【０１１８】
このように、光ディスク装填時におけるディスク種類判別処理において、閾値判定と面積変化率判定とを併用して記録層検出信号ＳＤを生成し、当該記録層検出信号ＳＤを用いて記録層を検出することにより、閾値判定では記録層であると誤判定されるノイズに基づく信号変化や、面積変化率判定では記録層であると誤判定されるフェイク現象に基づく信号変化等の不要な信号変化を適切に排除し、記録層のみを確実に識別して、確実にディスク種類の判別を行うことができる。
【０１１９】
これに加えて光ディスク駆動装置１は、偽の焦点によるフェイク現象によってプルイン信号ＳＰＩに大信号変化が生じてしまうＣＤ判別処理の際は、当該偽の焦点によるフェイク現象による大信号変化が閾値判定及び面積変化率判定の双方で検出されることを利用し、当該大信号変化による記録層検出信号ＳＤにおける最初の立ち上がりタイミングから、当該記録層検出信号ＳＤにおける次の立ち上がりタイミングまでの経過時間ＴＰに対物レンズ７の移動速度Ｖを乗じた移動距離ｄ３を基に、光ディスク２０がＣＤメディア２０ｃであるか否かを判定する。
【０１２０】
この場合でも、閾値判定と面積変化率判定とを併用して記録層検出信号ＳＤを生成し、当該記録層検出信号ＳＤを用いて記録層を検出することにより、閾値判定では記録層であると誤判定されるノイズに基づく信号変化や、面積変化率判定では記録層であると誤判定されるフェイク現象に基づく信号変化等の不要な信号変化を適切に排除できるとともに、定まった焦点位置で発生することが既知である偽の焦点によるフェイク現象の発生を認識し、これをディスク表面に換えて基準位置として用いることにより、当該偽の焦点によるフェイク現象の発生を避け得ないＣＤ判別処理においても、確実にディスク種類の判別を行うことができる。
【０１２１】
（２−６）他の実施の形態
なお、上述した第２の実施の形態においては、ディスク種類判別処理における閾値判定の判定方法として、プルイン信号ＳＰＩの信号レベルと検出閾値ＰＳとを比較するようにしたが、本発明はこれに限らず、上述したプルイン信号ＳＰＩの信号振幅ｌiを所定時間ｔだけ加算してなる信号面積Ｓｎと、適宜設定した信号面積閾値とを比較して閾値判定を行うようにしてもよい。この場合、信号面積Ｓｎは単位時間当たりのプルイン信号ＳＰＩの信号振幅ｌiの積分値に当たることから、極端に急峻な信号変化を無視して、より安定した閾値判定を行うことができる。
【０１２２】
また上述した第２の実施の形態においては、ディスク種類判別処理において面積変化率判定と閾値判定とを併用して記録層の検出を行うようにしたが、本発明はこれに限らず、面積変化率判定に代えて、例えばプルイン信号ＳＰＩの信号レベルの微分値等、プルイン信号ＳＰＩの信号変化状態に基づくこの他種々の信号変化率判定と閾値判定とを併用して記録層の検出を行うようにしてもよい。
【０１２３】
さらに上述した第２の実施の形態においては、ディスク種類判別処理において常に一定の検出閾値ＰＳを用いて閾値判定を行うようにしたが、本発明はこれに限らず、状況に応じて適宜検出閾値ＰＳを変更しながら閾値判定を行うようにしてもよい。例えば、ディスク種類判別処理開始直後では検出閾値ＰＳを低く設定すれば、閾値判定によってもディスク表面を検出でき、当該ディスク表面を検出した以降は検出閾値ＰＳを高く設定すれば、閾値判定によるフェイク現象の誤認識を防止できる。
【産業上の利用可能性】
【０１２４】
本発明は、複数種類の光ディスクに対応した光ディスク装置に適用できる。
【図面の簡単な説明】
【０１２５】
【図１】光ディスク装置の全体構成を示すブロック図である。
【図２】従来の方法による信号層検出の説明に供する略線図である。
【図３】ディスク表面や信号層の反射によって生じる信号面積及び面積変化率の変化を示す略線図である。
【図４】ノイズによる信号面積及び面積変化率の変化を示す略線図である。
【図５】本発明の第１の実施の形態による信号層検出の説明に供する略線図である。
【図６】本発明の第２の実施の形態によるＢＤ及びＤＶＤに対する信号層検出の説明に供する略線図である。
【図７】ＣＤに対する信号層検出の説明に供する略線図である。
【図８】本発明の第２の実施の形態によるＣＤに対する信号層検出の説明に供する略線図である。
【符号の説明】
【０１２６】
１……光ディスク駆動装置、２……制御部、３……システム制御部、４……サーボ制御部、５……光ピックアップ、６……レーザダイオード、７……対物レンズ、８…２軸アクチュエータ、９……フォトディテクタ、１０……信号生成部、２０……光ディスク。
【図１】
2008123569.tif 000004
【図２】
2008123569.tif 000005
【図３】
2008123569.tif 000006
【図４】
2008123569.tif 000007
【図５】
2008123569.tif 000008
【図６】
2008123569.tif 000009
【図７】
2008123569.tif 000010
【図８】
2008123569.tif 000011